(57)【要約】少なくとも１つの前方パネル、実質的に水平であって前方パネルに対して平行である少なくとも１つの縦梁、および前方パネルを縦梁に連結するための少なくとも１つの横断アームが設けられた少なくとも１つの構造体を備えてなり、据付箇所において、前方パネルが充填材料の充填された壁の外面へ向けられ、かつ、縦梁が壁それ自体の内側に配置されており、縦梁は、構造体の支持用基部に近接して横断アームに結合されている、充填材料、とりわけ土などを使用して壁を作るための建造要素。【選択図】図３
2009534558.tif 000002
【特許請求の範囲】
【請求項１】
少なくとも１つの前方パネル、実質的に水平であって前記パネルに対して平行である少なくとも１つの縦梁、および前記パネルを前記縦梁に連結するための少なくとも１つの横断アームが設けられた少なくとも１つの構造体を備えてなり、据付箇所において、前記パネルが充填材料の充填された壁の外面へ向けられ、かつ、前記縦梁が前記壁それ自体の内側に配置されている、充填材料、とりわけ土などを使用して壁を作るための建造要素であって、前記縦梁が、前記構造体の支持用基部に近接して前記横断アームに結合されていることを特徴とする建造要素。
【請求項２】
前記横断アームは、前記パネルに対して実質的に直角であることを特徴とする請求項１に記載の建造要素。
【請求項３】
前記パネルおよび前記横断アームの少なくとも一方の下縁が前記構造体の基部に近接して配置されていることを特徴とする請求項１または２に記載の建造要素。
【請求項４】
前記横断アームの高さが前記パネルの高さと実質的に同一であることを特徴とする請求項１〜３のいずれか１つに記載の建造要素。
【請求項５】
前記アームの下縁および上縁が前記パネルの下縁および上縁のそれぞれと実質的に同一の平面上にあることを特徴とする請求項４に記載の建造要素。
【請求項６】
前記横断アームの高さが前記パネルの高さよりも実質的に低いことを特徴とする請求項１〜５のいずれか１つに記載の建造要素。
【請求項７】
前記横断アームの下縁が前記パネルの下縁と実質的に同一の平面上にあり、かつ、前記横断アームの上縁が前記パネルの上縁に対してより低い高さで配置されていることを特徴とする請求項６に記載の建造要素。
【請求項８】
前記横断アームの高さが前記パネルの高さよりも実質的に高いことを特徴とする請求項１〜７のいずれか１つに記載の建造要素。
【請求項９】
前記横断アームの上縁が前記パネルの上縁と実質的に同一の平面上にあり、かつ、前記パネルの下縁が前記横断アームの下縁に対してより高い高さで配置されていることを特徴とする請求項８に記載の建造要素。
【請求項１０】
前記横断アームの下縁が前記パネルの下縁と実質的に同一の平面上にあり、かつ、前記横断パネルの上縁が前記横断アームの上縁に対してより低い高さで配置されていることを特徴とする請求項８に記載の建造要素。
【請求項１１】
前記構造体の基部から前記パネルの下縁までの距離が前記縦梁の高さと実質的に同一であることを特徴とする請求項１〜１０のいずれか１つに記載の建造要素。
【請求項１２】
前記横断アームは、その側方部および最上部で前記縦梁に結合されていることを特徴とする請求項１〜１１のいずれか１つに記載の建造要素。
【請求項１３】
前記横断アームは、その側方部で前記縦梁に結合されていることを特徴とする請求項１〜１２のいずれか１つに記載の建造要素。
【請求項１４】
前記パネル、前記横断アームおよび前記縦梁の少なくとも１つは、先細にされかつ下方部分で広がっている横断面を有していることを特徴とする請求項１〜１３のいずれか１つに記載の建造要素。
【請求項１５】
前記縦梁の横断面が実質的に台形であることを特徴とする請求項１〜１４のいずれか１つに記載の建造要素。
【請求項１６】
前記縦梁の台形状横断面の上底および下底が実質的に水平であることを特徴とする請求項１〜１５のいずれか１つに記載の建造要素。
【請求項１７】
前記構造体の内側へ向けられた前記縦梁の表面の鉛直線に対する角度が前記構造体の外側へ向けられた前記縦梁の表面の鉛直線に対する角度よりも実質的に大きいことを特徴とする請求項１〜１６のいずれか１つに記載の建造要素。
【請求項１８】
前記パネルは、実質的に長方形であることを特徴とする請求項１〜１７のいずれか１つに記載の建造要素。
【請求項１９】
前記パネルは、実質的に鉛直であり、据付箇所において、前記パネルは、前記壁の外面に対して実質的に平行に配置されることを特徴とする請求項１〜１８のいずれか１つに記載の建造要素。
【請求項２０】
据付箇所において、前記パネルは、前記壁の外面と実質的に同一の平面上にあることを特徴とする請求項１〜１９のいずれか１つに記載の建造要素。
【請求項２１】
据付箇所において、前記パネルは、隣接する建造要素の縦梁の実質的に上方に配置されることを特徴とする請求項１〜２０のいずれか１つに記載の建造要素。
【請求項２２】
前記パネルは、鉛直平面に対して実質的に斜めであることを特徴とする請求項１〜２１のいずれか１つに記載の建造要素。
【請求項２３】
前記実質的に斜めであるパネルは、前記構造体の基部から実質的に外方へ傾斜して延びていることを特徴とする請求項２２に記載の建造要素。
【請求項２４】
前記パネルと前記横断アームとの連結を補強するための補強手段を備えていることを特徴とする請求項１〜２３のいずれか１つに記載の建造要素。
【請求項２５】
前記補強手段は、前記パネルの内面と前記横断アームの側面との間に置かれた実質的に水平な少なくとも１つのブラケットからなっていることを特徴とする請求項１〜２４のいずれか１つに記載の建造要素。
【請求項２６】
前記ブラケットは、実質的に三角形に成形されていることを特徴とする請求項１〜２５のいずれか１つに記載の建造要素。
【請求項２７】
前記ブラケットは、実質的に長方形に成形されているとともに、前記パネルの全長に沿って延びていることを特徴とする請求項１〜２６のいずれか１つに記載の建造要素。
【請求項２８】
前記ブラケットは、前記構造体の基部の近傍に配置されていることを特徴とする請求項１〜２７のいずれか１つに記載の建造要素。
【請求項２９】
前記ブラケットは、前記構造体の最上部の近傍に配置されていることを特徴とする請求項１〜２８のいずれか１つに記載の建造要素。
【請求項３０】
前記パネル、前記横断アームおよび前記縦梁の少なくとも１つにおける上縁および下縁の少なくとも一方に実質的に鉛直に設けられ、その中に対応するロックピンを嵌めることができる少なくとも１つの穴を有し、隣接する建造要素へ固定するための固定手段を備えていることを特徴とする請求項１〜２９のいずれか１つに記載の建造要素。
【請求項３１】
前記固定手段は、前記穴の周りで前記構造体の内側に沈められた少なくとも１つのＵ字状補強体からなっていることを特徴とする請求項１〜３０のいずれか１つに記載の建造要素。
【請求項３２】
胸壁要素と前記構造体の最上部で結合することのできる保持縁要素との少なくとも一方へ連結するための連結手段を備えていることを特徴とする請求項１〜３１のいずれか１つに記載の建造要素。
【請求項３３】
前記連結手段は、前記横断アームを実質的に水平に貫通して設けられ、かつ、前記胸壁要素および前記保持縁要素の少なくとも一方の実質的に鉛直な部分に結合することができるリンクピンを挿入することのできる少なくとも１つの貫通状開口からなっていることを特徴とする請求項１〜３２のいずれか１つに記載の建造要素。
【請求項３４】
前記貫通状開口は、前記横断アームの上縁に近接して設けられていることを特徴とする請求項１〜３３のいずれか１つに記載の建造要素。
【請求項３５】
前記連結手段は、実質的に上下に設けられた前記貫通状開口の一対からなっていることを特徴とする請求項１〜３４のいずれか１つに記載の建造要素。
【請求項３６】
前記横断アームを２つ備えていることを特徴とする請求項１〜３５のいずれか１つに記載の建造要素。
【請求項３７】
前記横断アームは、前記パネルの長手端部および前記縦梁の長手端部から実質的にある距離に配置されていることを特徴とする請求項３６に記載の建造要素。
【請求項３８】
前記横断アームは、前記パネルの長手端部および前記縦梁の長手端部に配置されていることを特徴とする請求項３６に記載の建造要素。
【請求項３９】
実質的に鉛直である少なくとも１つの第１スラブ、実質的に水平であって前記第１スラブの基部側面に結合された少なくとも１つの第２スラブ、および実質的に鉛直であって前記第２スラブの下面に結合され、かつ、前記建造要素の少なくとも１つの前記連結手段に結合することができる少なくとも１つの部分とを備えてなり、据付箇所において、前記第１スラブが前記壁の外面と実質的に同一の平面上に配置され、かつ、前記第２スラブが前記建造要素の少なくとも１つの上方に配置されることを特徴とする、請求項１〜３８のいずれか１つに記載の建造要素に結合することのできる胸壁要素。
【請求項４０】
前記鉛直部分は、前記リンクピンを嵌めることのできる実質的に水平な貫通状長穴を有していることを特徴とする請求項３９に記載の胸壁要素。
【請求項４１】
前記鉛直部分は、実質的に上下に設けられた前記貫通状長穴を一対有していることを特徴とする請求項４０に記載の胸壁要素。
【請求項４２】
前記鉛直部分を少なくとも２つ備え、それぞれは前記横断アームの１つに結合することができることを特徴とする請求項３９〜４１のいずれか１つに記載の胸壁要素。
【請求項４３】
前記鉛直部分を少なくとも２対備え、それぞれの対は前記横断アームの１つの対向側部に結合することができることを特徴とする請求項３９〜４２のいずれか１つに記載の胸壁要素。
【請求項４４】
前記第１スラブは、実質的に長方形であることを特徴とする請求項３９〜４３のいずれか１つに記載の胸壁要素。
【請求項４５】
実質的に鉛直である少なくとも１つのプレート、および実質的に鉛直であって前記プレートの少なくとも一方側部に結合され、かつ、前記建造要素の少なくとも１つの前記連結手段に結合することができる少なくとも１つの部分を備えてなり、据付箇所において、前記プレートは、前記建造要素の少なくとも１つの上方で前記壁の外面と実質的に同一の平面上に配置されていることを特徴とする請求項１〜３８のいずれか１つに記載の建造要素に結合することのできる保持縁要素。
【請求項４６】
前記鉛直部分は、その中に前記リンクピンを嵌めることのできる実質的に水平な貫通状長穴を有していることを特徴とする請求項４５に記載の保持縁要素。
【請求項４７】
前記鉛直部分は、実質的に上下に設けられた前記貫通状長穴を一対有していることを特徴とする請求項４６に記載の保持縁要素。
【請求項４８】
前記鉛直部分を少なくとも２つ備え、それぞれは前記横断アームの１つに結合することができることを特徴とする請求項４５〜４７のいずれか１つに記載の保持縁要素。
【請求項４９】
前記鉛直部分を少なくとも２対備え、それぞれの対は前記横断アームの１つの対向側部に結合することができることを特徴とする請求項４５〜４８のいずれか１つに記載の保持縁要素。
【請求項５０】
前記プレートは、実質的に長方形であることを特徴とする請求項４５〜４９のいずれか１つに記載の保持縁要素。
【請求項５１】
前記プレートは、実質的に三角形であることを特徴とする請求項４５〜５０のいずれか１つに記載の保持縁要素。
【発明の詳細な説明】
【技術分野】
【０００１】
この発明は、充填材料、とりわけ土などを使用して壁を作るための建造要素に関するものである。
【背景技術】
【０００２】
例えば、道路、高速道路、鉄道などで傾斜面および勾配面を保持するための壁、あるいは相異なる市街地標高どうしの間に急斜面を作り出すための壁のような特別な石造建築を行うために、相異なる型の組立式建造要素を使用することが知られている。
【０００３】
このような要素は、コンクリート注型法を利用して作られて壁の建造の間に1つが他方の最上部に配置されるとともにその後に土、砂、礫、その他のような充填材料で充填されるかなりの寸法の梁構造からなっているのが普通である。その結果得られる壁は、きわめて堅固であるとともに強いが、その意味では、これらの建造要素の１つを他のものに結合することができるかあるいはこれらを充填材料へかつ／または保持される傾斜面へ直接、固定することができる特定の保持方式を使用することで、性能をさらに向上させることができる。
【０００４】
第１の型の建造要素は、実質的に水平である一対の縦梁に関連して構成されており、これらの縦梁には、これらの縦梁とともに結合されてこの建造要素の支持用基部を画定し、この基部を地面の上にあるいは別の建造要素の上に載せることのできる横梁が備わっている。組立体の構成において、これらの建造要素は、その縦梁が建造される壁の平面箇所に対して平行に配置され、これらの一方が外方に面し、他方がその壁の内側面に配置されるように、置かれる。
【０００５】
これらの縦梁は、横梁の最上部に嵌められ、その結果、これらの建造要素が組み立てられると、充填材料が横梁とその外側の縦梁との間の外面に現れる。この第１の型の建造要素では、その後、充填材料は、草、花、その他のような植物を成長させるための肥沃土として作用することができる。
【０００６】
これに対して、第２の型の建造要素では、上記梁構造には、実質的に垂直なパネルによって閉鎖された側壁が備わっており、その内面から２つの横梁が延びており、これらは対向端部で、このパネルに平行な水平梁によって互いに連結されている。
【０００７】
この水平梁は、このパネルの上端とほぼ同じ高さで、横梁の最上部に配置されている。
【０００８】
組立体の構成において、これらの建造要素は、上記水平梁と外方へ向けられた上記パネルとともに、上記壁の内側面に置かれ、かつ、互いに隣接しており、その結果、壁は、上記充填材料が到達しない実質的に連続状の外面を示している。
【発明の開示】
【発明が解決しようとする課題】
【０００９】
これらの建造要素は、特に強いものであるが、その製造過程をいっそう容易にするとともにこれらを壁建造の間にいっそう実際的に使用することを意図して、さらに性能向上させる余地がある。
【００１０】
この観点で実際には、公知の建造要素の形状によって、底部で閉鎖された、それらが通常形成される内側のかさばった形態がもたらされ、これらは生コンクリートで満たされ、その要素はこのセメントが充分な強度および剛性に達すると引き上げによって除去される、ということを忘れてはならない。
【００１１】
しかしながら、破損、割れあるいは歪みを防止するためにこのような形状および寸法の建造要素を引き上げることが可能になる前に、セメントはこの形態の内側で完全に凝固しなければならず、また、このために特に長い時間が必要になり、それゆえ、伝統的な建造要素を形成するための設備は、長い時間、使用されるとともに、一日当たり限られた数の要素を作るに任せ、一般に、製造過程の速度を遅くするとともに、特に高い製造コストをもたらす。
【００１２】
上記壁の建造の間に、建造要素を被覆するための充填材料は、諸要素の一方が他方の上に配置される度に圧縮しなければならない、ということもまた強調しなければならない。
【００１３】
充填材料の圧縮化は通常、上記梁構造の内側の充填材料を押してこれを下方へ加圧する圧縮化ユニットによって行われる。しかしながら、この動作はどちらかと言えば複雑であることが多いが、その理由は、建造要素が設けられているときにはその梁とパネルとの間の上方からこの圧縮化ユニットを導入しなければならないからであり、またそれゆえ、この圧縮化ユニットを上記梁構造の上方へ引き上げるために、昇降機／掘削機の使用が必要であるからである。
【００１４】
この発明の主要目的は、実際的かつ簡単な方法により、迅速に、かつ比較的低い製造コストで製造することのできる、充填材料、とりわけ土などで壁を建造するための建造要素を設けることによって上記性能向上を達成することである。
【００１５】
この発明における別の目的は、壁の建造を簡略化すること、とりわけ、一方の建造要素の他方の建造要素の上での組立作業および充填材料での被覆作業をいっそう容易にすることである。
【課題を解決するための手段】
【００１６】
上記の諸目的は、少なくとも１つの前方パネル、実質的に水平であって前記パネルに対して平行である少なくとも１つの縦梁、および前記パネルを前記縦梁に連結するための少なくとも１つの横断アームが設けられた少なくとも１つの構造体を備えてなり、据付箇所において、前記パネルが充填材料の充填された壁の外面へ向けられ、かつ、前記縦梁が前記壁それ自体の内側に配置されており、前記縦梁は、前記構造体の支持用基部に近接して前記横断アームに結合されていることを特徴とする、充填材料、とりわけ土などを使用して壁を作るためのこの建造要素によって、すべて達成される。
【００１７】
この発明のさらに別の特徴および利点は、添付図面において非限定的な例によって表示された、充填材料、とりわけ土などを使用して壁を作るための建造要素の好ましいが限定的ではないいくつかの実施形態の詳細な説明からよりいっそう明らかになる。
【発明を実施するための最良の形態】
【００１８】
これらの添付図面を特に参照すると、１によって、充填材料、とりわけ土などを使用して壁を作るための建造要素が全体として表わされている。
【００１９】
建造要素１は、実質的に長方形である前方パネル２と、水平であってパネル２に対して平行である縦梁３と、パネル２を縦梁３へ連結するための一対の横断アーム４とを備えてなるコンクリート構造体から構成されている。横断アーム４は詳しくは、パネル２および縦梁３に対して直角な方向に沿って互いに平行に延びている。
【００２０】
相異なる建造要素の組立体１によれば、充填材料Ｒで充填された壁Ｍを建造することができるが、これらの要素自体は、パネル２が壁Ｍの外面へ向けられている据付箇所に配置されているとともに、縦梁３がその壁自体の内側に配置されている。
【００２１】
建造要素１の相異なる実施形態は、理解をいっそう容易にするために、図面において参照符号１ａ，１ｂ，１ｃ，１ｄ，１ｅ，１ｆ，１ｇ，１ｈで表示することによってこれらを互いから区別するこの発明によって可能なものであり、これらすべての実施形態に共通である特徴構成は、縦梁３がこの構造体１の支持用基部に近接した横断アーム４に結合されているという事実からなっている。
【００２２】
この発明の第１実施形態による建造要素１ａは図１〜図３に示されており、ここで、パネル２は、実質的に鉛直に配置されているとともに、壁Ｍの外面に対して平行に配置されるように意図されている。
【００２３】
パネル２の下縁２ａおよび横断アーム４の下縁４ａは、構造体１の上記基部に近接して配置されており、具体的には、パネル２の下縁２ａ、縦梁３の下縁３ａおよび横断アーム４の下縁４ａは、地面の上にあるいは下側の建造要素の上に載置される建造要素１ａの基部に相当している。
【００２４】
この実施形態では、横断アーム４の高さはパネル２の高さと実質的に同一であり、事実上、アーム４の下縁４ａおよび上縁４ｂはそれぞれ、パネル２の下縁２ａおよび上縁２ｂと実質的に同一である平面の上にある。
【００２５】
有用であるのは、パネル２と横断アーム４との間の結合を補強するための補強手段が設けられていることであり、この手段は例えば、形状が三角形である一対のブラケット５から作られ、これらは、構造体１の上記基部の近傍に水平に配置されているとともに、パネル２の内面２ｃと横断アーム４の側面との間に置かれている。
【００２６】
この建造要素１ａの横断アーム４は、その側面およびその上面で縦梁３に結合されており、事実上、これらは、パネル２から縦梁３の所まで延びているとともに、縦梁３の上方へ突出している。
【００２７】
パネル２、縦梁３および横断アーム４には、上方へ向かって先細にされているとともに下方部分で広がっている断面があり、この特性によれば、縦梁３が構造体１ａの上記基部に配置されていると事実と相まって、成形の間にこの形態から建造要素１ａの取り外しの作業を促進することができる。
【００２８】
具体的には、建造要素１ａは内側が底部で開放された形態に形成されているのが都合がよく、この底部は水平面の上に単に載置することによって閉鎖することができる。
【００２９】
いったんその面の上に配置されると、この形態は、生コンクリートで満たされ、短い硬化段階の後に、その水平面の上に建造要素１ａを残して引き上げてその乾燥を遂行することができ、それゆえ、同じ形態を使用して、多数の建造要素をきわめて短時間に作ることができる。
【００３０】
特定の形状の建造要素１ａは、この形態の引き上げを妨げることのあるアンダーカットがないものであり、また、建造要素１ａを使用の箇所において直接形成することのできるようなものであり、壁Ｍの建造までどのような要素も上げ起こし作業の必要なしに維持されるであろうものである、ことに留意すべきである。
【００３１】
詳しく言えば、縦梁３の断面は、上底および下底が実質的に水平である台形のように形成されている。構造体１ａの内側へ向かってある状態にされた縦梁３の面３ｂの鉛直線に対する角度は、構造体１ａの外側へ向かってある状態にされた縦梁３の面３ｃの鉛直線に対する角度よりも実質的に大きい。
【００３２】
壁Ｍの建造の間に、建造要素１ａは、パネル２が壁Ｍの外面と同じような平面に配置されるとともにこれの面を表わす据付箇所に配置される。
【００３３】
この発明の第２実施形態による建造要素１ｂは、図４における断面図に示されており、横断アーム４が縦梁３に横断状に結合されているとともにこれら上方へ突出していないという事実を除いて、先に説明した建造要素１ａに完全に類似している。
【００３４】
第１実施形態に対してこの第２実施形態では、事実上、横断アーム４には、図５における断面図に示されたこの発明の第３実施形態に連結することのできる縦梁３の上方に得られた成形凹所６がある。
【００３５】
この発明の第３実施形態では、建造要素は、参照符号１ｃで全体が表わされており、また、横断アーム４の高さよりも実質的に低い高さの備わったパネル２があるという事実を除いて、第１実施形態に類似している。
【００３６】
より詳しく言えば、横断アーム４の上縁４ｂはパネル２の上縁２ｂと実質的に同一である平面上にあり、また、パネル２の下縁２ａは、横断アーム４の下縁４ａに対してより高く配置されており、これは、縦梁３の下縁３ａとともに、構造体１ｃの支持用基部を表わしている。
【００３７】
さらにまた、構造体１ｃの上記基部からパネル２の下縁２ａまでの距離は、第２実施形態による隣りの建造要素１ｂの縦梁３の高さと実質的に同じである。
【００３８】
事実上、据付箇所において、第２実施形態による建造要素１ｂは、壁Ｍの外面に配置されたパネル２に配置されており、また、壁Ｍの内側でそれに隣接して第３実施形態による建造要素１ｃが置かれており、これには、上記隣りの建造要素１ｂの縦梁３の上方における成形凹所６の中に配置された関連パネル２が備わっている。
【００３９】
この発明の第４実施形態による建造要素１ｄは、図６における断面図に示されており、横断アーム４の高さがパネル２の高さよりも実質的に低いという事実を除いて、図１〜図３に示された実施形態に類似している。
【００４０】
さらに詳しく言えば、横断アーム４の下縁４ａおよびパネル２の下縁２ａは、それぞれ同一平面上にあり、また、縦梁３の下縁３ａとともに建造要素１ｄの基部を画定しており、これに対して、横断アーム４の上縁４ｂはパネル２の上縁２ｂに対してより低い高さに配置されている。
【００４１】
ここのような建造要素１ｄは、使用の間に、壁Ｍの最上部に据えられるように意図されており、パネル２の上方部分は充填材料Ｒの側方保持壁として使用される。
【００４２】
図７は、相異なる寸法の建造要素１ａ，１ｂ，１ｃ，１ｄを使用して作られた壁Ｍを示している。
【００４３】
壁Ｍの基部は、かなり大きくて、この発明の第２実施形態および第３実施形態による建造要素１ｂ，１ｃによって画定されており、これらの建造要素の上には第１実施形態による建造要素１ａが積まれ、壁Ｍの最上部には第４実施形態による建造要素１ｄが配置されている。壁Ｍを建てるために使用される第１実施形態による建造要素１ａの数量は、この壁が達成しなければならない最終高さに左右される。
【００４４】
都合がよいのは、それぞれの建造要素１ａ，１ｂ，１ｃ，１ｄに隣りの建造要素１ａ，１ｂ，１ｃ，１ｄへ固定するための固定手段７が備わっていることである。このような固定手段は、パネル２および横断アーム４の下縁２ａ，４ａおよび上縁２ｂ，４ｂに形成された実質的に鉛直な複数の穴８から構成されており、これらには対応するロックピン９を嵌めることができる。
【００４５】
従って、壁Ｍの建造は、かなり簡単であり、対応している穴８どうしの１つが他のものにいったん整合すれば、建造要素１ａ，１ｂ，１ｃ，１ｄの他の建造要素への簡単な上げ／降ろしによって実行される。
【００４６】
ロックピン９によってもたらされる、１つの建造要素１ａ，１ｂ，１ｃ，１ｄと別の建造要素１ａ，１ｂ，１ｃ，１ｄとの間の側方摺動力に対する抵抗を増大させるために、固定手段７には、穴８の周りに構造体１の内側に沈められた折り曲げ鉄筋などからなる複数のＵ字状補強体９ａも備わっている（図８）。
【００４７】
この発明の第４実施形態による壁Ｍの最上部での建造要素１ｄの使用の代案として、図９に詳しく示された胸壁要素１０の位置決めをもたらすことができる。このような胸壁要素１０は、実質的に長方形であって鉛直な第１スラブ１１と、実質的に水平であって第１スラブ１１の基部側面に結合された第２スラブ１２とからなっている。
【００４８】
据付箇所（図１０）では、第１スラブ１１は壁Ｍの外面と同じ平面に配置され、第２スラブ１２は壁Ｍの最上部で建造要素１ａの上方に配置されている。第２スラブ１２の下面は、胸壁要素１０を下に位置する建造要素１ａへ連結することのできる複数の鉛直部分１３に結合されている。
【００４９】
この目的のために、建造要素１ａには胸壁要素１０へ連結するための連結手段１４が備わっており、この連結手段１４は、それぞれの横断アーム４を実質的に水平に貫通することで形成されて上記鉛直部分１３へ連結するための同数のリンクピン１６を挿入することのできる一対の貫通状開口１５からなっている。
【００５０】
それぞれの横断アーム４には、このアーム自体の上縁４ｂの近くに貫通状開口１５が実質的に上下に設けられている。
【００５１】
詳しく説明すると、胸壁要素１０の鉛直部分１３には、上下に形成されてリンクピン１６を嵌めることのできる、実質的に水平な一対の貫通状長穴１７がある。
【００５２】
図９に示された胸壁要素１０には２対の鉛直部分１３が備わっており、それぞれの対は対応する横断アーム４の対向側面から結合することができる。
【００５３】
しかしながら、この発明の他の代わりの実施形態を除外することはできず、例えば、胸壁要素１０にはただ２つの鉛直部分１３が備わっていてもよく、これらはそれぞれの横断アーム４のためのものである。
【００５４】
胸壁要素１０の代わりに、保持縁要素１８の使用をもたらすことができ、この保持縁要素１８は鉛直プレート１９から作り上げられ、この鉛直プレート１９は、据付箇所において、建造要素１ａにわたって壁Ｍの外面と同一平面上に配置される。
【００５５】
鉛直プレート１９の一方の面には、胸壁要素１０に設けられた上記鉛直部分に完全に類似した複数の鉛直部分１３が結合されており、それによって、保持縁要素１８を建造要素１ａの貫通状開口１５へ連結することができる。
【００５６】
具体的には、保持縁要素１８には２つの鉛直部分１３が備わっており、これらのそれぞれは横断アーム４の１つに結合することができる。
【００５７】
しかしながら、いっそう安定した連結が必要であるときには、２対の鉛直部分１３を設けることができ、それぞれの対は、図９に示された胸壁要素１０の実施形態に類似したやり方で、それぞれの横断アーム４の対向側面から結合することができる。
【００５８】
図１１に示された保持縁要素１８の実施形態では、鉛直プレート１９は実質的に長方形の形状をしているが、代わりの実施形態を除外することはできず、その形状は例えば三角形であってもよい、ということに留意すべきである。
【００５９】
図１３は、この発明の第５実施形態による建造要素１ｅを示しており、これは、パネル２と横断アーム４との間の連結を補強するための補強手段が、三角形の形状であってその構造体１ｅの最上部の近くに水平に配置されたさらに別の一対のブラケット５を有しているという事実を除いて、図１〜図３の実施形態に完全に類似している。
【００６０】
これに対して図１４は、この発明の第６実施形態による建造要素１ｆを示しており、横断アーム４の下縁４ａはパネル２の下縁２ａと実質的に同一である平面上にあり、また、パネル２の上縁２ｂは横断アーム４の上縁４ｂに対してより低い高さで配置されている。この発明による胃バンド１の応用例を概略的に示しており、ここでは、第２チャンバー５は、いわゆる皮下ポートによって形成され、管路６によって胃バンド１のチャンバー２に接続されており、チャンバー２からチャンバー５への液体の移送、あるいはその逆向きの液体の移送を制御するために、例えばポンプ２５を配置することができる。
【００６１】
この実施形態では、さらにまた、ブラケット５は、実質的に長方形に形成されており、また、パネル２の全長に沿って水平に延びている。
【００６２】
第７実施形態による建造要素１ｇは、図１５に示されており、また、パネル２が鉛直平面に対して実質的に斜めに配置されているとともに、外方へ実質的に傾斜した構造体１ｇの基部から延びている。
【００６３】
先に説明されかつ図示された建造要素１ａ，１ｂ，１ｃ，１ｄ，１ｅ，１ｆ，１ｇのすべての実施形態では、横断アーム４は、パネル２の長手端部および縦梁３の長手端部から実質的にある距離に配置されている。具体的には、それぞれの横断アーム４のそれに最も近い端部からの距離は、２つの横断アーム４どうしの距離の約２倍である。
【００６４】
これに対して、図１６に示された第８実施形態による建造要素１ｈでは、横断アーム４は、パネル２の長手端部および縦梁３の長手端部で直角に配置されている
【００６５】
説明された発明がどのようにして、提示された諸目的を達成するが実際にわかっており、その事実は、それが伝統的なものに比べていっそう機能的で安価である組立方法を使用することができるということが繰り返し述べられている。
【００６６】
さらにまた、建造要素の基部に配置された縦梁を取り付ける特定の解決策によって、壁建造作業がかなり容易になり、これらの要素を充填材料で被覆してこれをそれらの要素の内側で圧縮することは実際に、伝統的な建造要素の場合のように圧縮装置を引き上げる必要なく、壁の後方から迅速かつ簡単に遂行することができる作業である。
【００６７】
このように構想されたこの発明は、多数の修正および変更を受けることができ、それらのすべてはこの発明の構想の範囲内に含まれる。
【００６８】
さらにまた、すべての細部は技術的に等価である他の諸要素によって置き換えることができる。
【００６９】
実際に、使用された材料は、起こり得る形状および寸法と同様に、特許請求の範囲の保護範囲から逸脱することのない諸要求による任意のものであってよい。
【図面の簡単な説明】
【００７０】
【図１】図１は、この発明による建造要素の第１実施形態の斜視図である。
【図２】図２は、図１の建造要素の側面図である。
【図３】図３は、図１の建造要素の平面図である。
【図４】図４は、この発明による建造要素の第２実施形態の側面図である。
【図５】図５は、この発明による建造要素の第３実施形態の側面図である。
【図６】図６は、この発明による建造要素の第４実施形態の側面図である。
【図７】図７は、この発明による建造要素で作られた壁の断面図である。
【図８】図８は、１つの建造要素を別の建造要素に固定するための手段の部分平面図である。
【図９】図９は、この発明による胸壁要素の斜視図である。
【図１０】図１０は、この発明による建造要素および胸壁要素で建造された壁の概略部分断面図である。
【図１１】図１１は、この発明による保持縁要素の斜視図である。
【図１２】図１２は、この発明による建造要素および保持縁要素の断面図である。
【図１３】図１３は、この発明による建造要素の第５実施形態の斜視図である。
【図１４】図１４は、この発明による建造要素の第６実施形態の斜視図である。
【図１５】図１５は、この発明による建造要素の第７実施形態の斜視図である。
【図１６】図１６は、この発明による建造要素の第８実施形態の側面図である。
【図１】
2009534558.tif 000003
【図２】
2009534558.tif 000004
【図３】
2009534558.tif 000005
【図４】
2009534558.tif 000006
【図５】
2009534558.tif 000007
【図６】
2009534558.tif 000008
【図７】
2009534558.tif 000009
【図８】
2009534558.tif 000010
【図９】
2009534558.tif 000011
【図１０】
2009534558.tif 000012
【図１１】
2009534558.tif 000013
【図１２】
2009534558.tif 000014
【図１３】
2009534558.tif 000015
【図１４】
2009534558.tif 000016
【図１５】
2009534558.tif 000017
【図１６】
2009534558.tif 000018
【国際調査報告】
2009534558.tif 000019
2009534558.tif 000020
2009534558.tif 000021